(57)【要約】【課題】特定のＡＴＭで利用可能な複数のカードを所有している場合に、利用カードを選択する際のセキュリティ性と利便性を向上したシステムを提供する。【解決手段】カードに非接触ＩＣカードを採用する。利用者は利用したいカードの条件（金融機関名、暗証番号、氏名の全てまたは一部）を先に装置に入力を行い、その後装置より利用者が来店時に携帯しているカードを自動的に検出して、検出した中から利用者が入力した条件に合致するカードを絞り込み、その情報を画面に表示することで他人のカードの誤検出・誤表示を防ぎ、また操作性・利便性を向上させる。【選択図】  図１
2004178464.tif 000002
【特許請求の範囲】
【請求項１】
カードを使用した決済を行う端末において、
利用者が所持しているカードのうち、まず最初に利用を希望するカードに関する情報を利用者に入力させる機能を有し、その後入力された条件に合致するカードを利用者が所持する複数枚の非接触ＩＣカードから自動的に検出する機能を有する事を特徴とするカード決済端末。
【請求項２】
請求項１において、カードを自動的に検出可能な範囲を、オペレータの近傍に限定することを特徴とするカード決済端末。
【請求項３】
請求項１，２において、カードを自動的に検出可能な範囲は端末のある特定の位置の近傍に限定することを特徴とするカード決済端末。
【請求項４】
請求項１において、最初に利用者が入力する情報は、カード発行機関の名称とそのカードの暗証番号、および口座名義人名称の一部または全部である事を特徴とするカード決済端末。
【発明の詳細な説明】
【０００１】
【発明の属する技術分野】
この発明は、キャッシュカードやクレジットカード等の情報記録媒体から読み取った識別情報を用いて取引処理を実行するカード決済端末に関する。
【０００２】
【従来の技術】
従来のＡＴＭでは一枚の磁気カードによるキャッシュカードをＡＴＭ内の磁気カードリーダに挿入することで利用者との決済や取引を行っており、利用者は使用するカードをあらかじめ財布・鞄等から出してカードリーダに挿入する必要がある。
【０００３】
また、例えば特定の銀行のＡＴＭで利用可能なカードは、当該銀行のカードにとどまらず、他行や郵政事業庁、消費者金融、信販会社等、各社ホストコンピュータ間が接続されていることにより複数の発行元の物が利用可能となっている。
【０００４】
キャッシュカード等では、現状ＩＣカード機能を持っている物もあるが、接触形ＩＣカードであり、使用方法としては磁気カードとほとんど変わらない。
【０００５】
一方、非接触ＩＣカードがテレホンカードや鉄道会社のプリペイドカード等に採用され、用途が拡大して来ている。
【０００６】
非接触ＩＣカードに関しては、仕様上通信距離が１０ｃｍ程度まで可能なＩＣカードＲ／Ｗや、複数枚のカードを同時に読み取り可能な「アンチコリジョン対応」のＩＣカードも実現されている。
【０００７】
その非接触ＩＣカードを利用者が複数枚所持しており、その中の一枚により決済を行う端末としては、特許文献１や特許文献２、特許文献３が示されている。
【０００８】
【特許文献１】
特開平１０−３１２４４４号公報
【特許文献２】
特開２００２−３２８２７号公報
【特許文献３】
特開２００１−５２２３７号公報
【０００９】
【発明が解決しようとする課題】
磁気カードや接触形ＩＣカードを利用したＡＴＭでは、利用者が利用したい銀行や会社の特定のカードを取り出し、ＡＴＭのカードリーダに読み取らせることにより利用しているが、一般的に多数の複数枚カードを個人で所有している場合が多く、特定のカードを鞄の中などから探すために時間を浪費することがある。
【００１０】
ＡＴＭ等カードで決済を行う端末において、利用者が複数枚の非接触ＩＣカードを所有している場合に、利用カードを選択する際の利便性を向上しするためのシステムである特許文献１（特開平１０−３１２４４４号）では、まず暗証番号を利用者に入力させ、それに合致したカードの一覧を画面に表示し、その中から使用するカードを利用者に選択させているが、利用者が所持しているカードの多くを同じ暗証番号にしている場合にはほとんど絞り込みが出来ていない状態から利用者に使用するカードを選択させなければならず、利便性の向上にならない問題が有る。
【００１１】
同様の目的を持つシステムである特許文献２（特開２００２−３２８２７号）では、先に装置側で検知可能なカードをすべて検知した後に自動的にＡＴＭ画面上に検知したカードを表示してしまうが、この場合には他人のカードを検知し表示していた場合、利用者が適当な暗証番号を入力し万一合致してしまった場合に他人のカードから預金の引き落としが行われる等セキュリティ上の危険性がある。
【００１２】
特許文献３（特開２００１−５２２３７号）でも最初にカードの検知を行っており、他人のカードを検知していた場合は同様の危険性が有る。
【００１３】
本発明の課題は、非接触ＩＣカードを用いたＡＴＭ等の決済端末において、利便性を向上した上でセキュリティの問題点を排除したシステムを提供する事に有る。
【００１４】
【課題を解決するための手段】
以上の課題を解決する為に、各カードにアンチコリジョン対応の非接触ＩＣカードを採用した上で、各カードの入った財布・鞄等を決済端末のコーナーに持参した利用者が、利用時にまずカード特定に必要な複数情報を入力し、次にその情報に合致するカードを、決済端末に組み込まれており、ごく限られた範囲でのみＩＣカードの検知が可能なＩＣカードＲ／Ｗにより検知する事で、セキュリティ上の問題を解決し、かつ、カードの絞込みが容易であるため利便性も向上したシステムを提供する。
【００１５】
【発明の実施の形態】
以下、本発明の実施形態について図面を用いて説明する。
【００１６】
図１は、本発明の実施形態例による本発明によるＡＴＭのシステムの構成図である。
【００１７】
図１において、１はＡＴＭ、１−１はＡＴＭ内部の各機器を制御する制御部、１−２はＣＲＴ，ＬＣＤ等により操作方法のガイダンス等を行う表示部、１−３は利用者が使用するタッチパネル、キーボード等の入力部、１−４は現金の入出金メカや保管庫により構成される現金処理部、１−５は非接触ＩＣカードに対して読み書きを行うＩＣカードＲ／Ｗ、１−６は利用者を検知する人物センサ、２は各銀行独自に発行しているキャッシュカードである非接触ＩＣカードであり、複数枚同時アクセス可能なアンチコリジョン対応のカード、３は１を管理する銀行のホストコンピュータ、３−１，３−２，３−３は３と接続されている他行所有のホストコンピュータであり、３と１の間は通信回線４により、３，３−１，３−２，３−３のそれぞれの間は銀行間ネット５により接続されている。
【００１８】
図２、図３に、本発明によるおけるＡＴＭ取引処理方法のフローについて示す。
【００１９】
人物センサ１−６によりＡＴＭ利用者の接近を検知した場合（１０１）、表示部１−２に利用する金融機関名入力を入力部１−３より行う様に促す画面を表示する（１０２），（１０３），（１０４）。例として、自行と他行の２つのボタンを表示して選択させる。またはその装置の設置機関での利用が多い機関名をあらかじめ装置側に設定し、その順に画面に表示する、または機関名の頭文字を入力させ順に機関名を絞り込んで表示、その後選択を繰り返す、等を行う。
【００２０】
機関名が絞り込めた後に、表示部１−２にカードの暗証番号の入力を入力部１−３より行う様に促す画面を表示させる（１０５）。
【００２１】
カードの暗証番号が入力された後に（１０６）、表示部１−２に口座名義人の氏名の入力を入力部１−３より行う様に促す画面を表示する（１０７）。この場合、氏名全てを入力するのは煩雑な場合もあるため、苗字のみ、名前のみ、頭文字のみの入力として後に他の入力情報と合わせて、カード情報、ホストとの通信により名義人名称を確定しても良い。
【００２２】
入力が終了したら（１０８）、表示部１−２に「ＡＴＭにＩＣカードを近づけて下さい」という内容のガイダンスを表示する（１０９）。利用者は所有するＩＣカードまたはＩＣカードの入った財布・鞄等をＡＴＭ１に近づけ、入力部１−３よりＩＣカードを近づけた旨の入力を行う（１１０）。入力を受けて制御部１−１はＩＣカードＲ／Ｗ１−５に対してカードリードコマンドを発行する（１１１）。カードリードコマンドに対して、ＩＣカードＲ／Ｗ１−５は、その時点で検知可能な全てのアンチコリジョン対応のＩＣカードについてリードを行い情報を吸上げる。なお、この際、周辺にいる他人のカード誤検知を減少させるため、ＩＣカードの検知範囲を利用者の近傍のみに限定する。例えばＩＳＯ／ＩＥＣ１４４４３で示される近接型と呼ばれる非接触ＩＣカードの通信可能な距離は約１０ｃｍ以内であり、これを適用することで、利用者の後ろで順番待ちをしている人などの所持するＩＣカードの誤検知を防止する。また、ＩＣカードの入った鞄等をＡＴＭに近づけるだけではなく、特定位置に置いたり接触させたりさせても良い。
【００２３】
検知可能なＩＣカードが存在しなかった場合（１１２）は、一定時間でタイムアウトとし（１１３）、表示部１−２に「利用可能なカードが検出できない」旨の表示を行う（１１４）。利用者が処理継続を入力部１−３操作により希望した場合（１１５）は、処理（１０９）に戻り、以下、再度カードの検出を試みる。処理継続を希望しない場合（１１５）は処理を終了する。
【００２４】
カードデータの吸上げが可能であった場合、各カードについて、利用者が入力した情報を基に制御部１−１またはホスト３の処理により判定し（１１６）、利用者の入力条件に合致するカードを絞り込む（１１７）。絞り込み後、表示部に金融機関名と、口座番号、口座の名義人を表示部１−２に表示し（１１８）、利用者の意図したカードであるか否かの選択を入力部１−３により行う様利用者に促す（１１９）。
【００２５】
この時点で、利用者が同一機関の複数支店に口座を持っており，かつ暗証番号を同じにしていた場合、複数カードが条件に合致する事になる。この場合はその全てを表示し、どのカードを使用するのか利用者に選択を促す。
【００２６】
カードが確定した場合、以降、現金の引き出し、振り込み等の手続き、処理を実施する（１２０）。
【００２７】
【発明の効果】
以上説明したように、本発明では利用者が複数枚所有するカードをあらかじめ選択して用意するのではなく、ＡＴＭへの利用者の入力情報を基に、ＡＴＭ側で利用者が所持するカードのうち条件に合う物を検出・表示することにより、セキュリティ性を向上させながら利用者の利便性を高めることが可能となる。
【図面の簡単な説明】
【図１】本発明の一実施形態であるＡＴＭシステムの概略構成を示すブロック図である。
【図２】本発明の一実施形態であるＡＴＭシステムの処理手順を示すフローチャートである。
【図３】図２に続くＡＴＭシステムの処理手順を示すフローチャートである。
【符号の説明】
１…ＡＴＭ（現金自動預払機）、１−１…制御部、１−２…表示部、１−３…入力部、１−４…現金処理部、１−５…ＩＣカードＲ／Ｗ、１−６…人物センサ、２…非接触ＩＣカード、３…ホストコンピュータ（自行）、３−１  ３−２  ３−３…ホストコンピュータ（他行）、４…通信回線、５…銀行間ネット。
【図１】
2004178464.tif 000003
【図２】
2004178464.tif 000004
【図３】
2004178464.tif 000005